(57)【要約】【課題】アスピレーターの空気導入孔が連結アダプターの空気流入孔からずれたとしても、連結アダプターの空気流入孔から流入した空気をアスピレーターの空気導入孔に流入させることができ、水道水に気泡を混入させることができる泡沫水栓を提供する。【解決手段】泡沫水栓１０は、水道管に着脱可能に連結される連結アダプター１１と、連結アダプター１１に挿脱可能に挿入されるアスピレーター１２と、連結アダプター１１に着脱可能に連結されて連結アダプター１１に挿入されたアスピレーター１２を支持するプラグスリーブ１３とから形成されている。泡沫水栓１０では、空気が第２空間２８から連結アダプター１１の空気流入孔２６に流入し、空気流入孔２６から第１空間２５に流入するとともに、第１空間２５からアスピレーター１２の空気導入孔３６に流入しつつ、アスピレーター１２の第２流路３５に流入し、第２流路３５を流動する水道水に混入され、水道水に多数の気泡が作られる。【選択図】図７
2019044516.tif 000002
【特許請求の範囲】
【請求項１】
水道管に着脱可能に連結されて前記水道管から流入した水道水に気泡を混入する泡沫水栓において、
前記泡沫水栓が、前記水道管に着脱可能に連結される連結アダプターと、前記連結アダプターに挿脱可能に挿入されるアスピレーターと、前記連結アダプターに着脱可能に連結されて該連結アダプターに挿入された前記アスピレーターを支持するプラグスリーブとから形成され、
前記連結アダプターが、前記アスピレーターを挿入する挿入スペースと、前記連結アダプターの内周面に形成されて該連結アダプターの径方向外方へ向かって凹み、前記連結アダプターの内周面の全周に延びていて該連結アダプターの内周面と前記挿入スペースに挿入された前記アスピレーターの外周面との間に第１空間を作る円環凹部と、前記連結アダプターの外周面から内周面に向かって径方向へ延びていて前記円環凹部につながる空気流入孔と、前記連結アダプターの外周面であって前記空気流入孔を含むその周囲に形成され、前記連結アダプターの外周面と該連結アダプターに連結された前記プラグスリーブの内周面との間に第２空間を作る第１扁平面域とを有し、
前記アスピレーターが、その上方から下方に向かうにつれて断面積が次第に縮小する第１流路と、前記第１流路につながって断面積が一定の上下方向へ延びる第２流路と、前記アスピレーターの径方向へ延びていて該アスピレーターの外周面から前記第２流路につながり、前記アスピレーターを前記連結アダプターの挿入スペースに挿入したときに前記第１空間に位置する空気導入孔とを有し、
前記プラグスリーブが、その内周面から径方向内方へ延びていて前記挿入スペースに挿入された前記アスピレーターを支持する支持フランジを有することを特徴とする泡沫水栓。
【請求項２】
前記円環凹部によって作られた第１空間が、前記連結アダプターの周り方向の全周に形成され、前記気泡を作る空気が、前記第２空間から前記空気流入孔に流入しつつ該空気流入孔から前記第１空間に流入するとともに該第１空間から前記空気導入孔に流入する請求項１に記載の泡沫水栓。
【請求項３】
前記アスピレーターが、前記第１流路が形成された上筒部と、前記第２流路と前記空気導入孔とが形成されて径方向の長さ寸法が前記上筒部のそれよりも大きい中間筒部と、前記第２流路が形成されて径方向の長さ寸法が前記中間筒部それよりも小さい下筒部とを有し、
前記連結アダプターが、前記水道管の接続部に着脱可能に螺着される上方螺着筒部と、前記上方螺着筒部の直下に形成されて前記連結アダプターの径方向外方へ張り出す円環フランジと、前記円環フランジの直下に形成されて前記プラグスリーブが着脱可能に螺着される下方螺着筒部と、前記上方螺着筒部の内周面に囲繞されて前記水道管から流出した水道水が流入する流入スペースとを有し、
前記連結アダプターの挿入スペースが、前記上方螺着筒部の内周面に囲繞されて前記流入スペースの直下に位置し、前記アスピレーターの上筒部を挿脱可能に挿入する第１挿入スペースと、前記下方螺着筒部の内周面に囲繞されて前記第１挿入スペースの直下に位置し、前記アスピレーターの中間筒部を挿脱可能に挿入する第２挿入スペースとから形成され、
前記泡沫水栓では、前記連結アダプターの空気流入孔と第１扁平面域とが該連結アダプターの下方螺着筒部に形成され、前記連結アダプターの円環凹部が該連結アダプターの下方螺着筒部の内周面に形成され、前記プラグスリーブを前記連結アダプターの下方螺着筒部に螺着したときに前記プラグスリーブの支持フランジが前記アスピレーターの中間筒部を支持する請求項１または請求項２に記載の泡沫水栓。
【請求項４】
前記アスピレーターが、その各筒部を軸として前記連結アダプターの挿入スペースに時計回り方向と反時計回り方向とへ回転可能に挿入され、前記アスピレーターの空気導入孔が、前記連結アダプターの挿入スペースにおける該アスピレーターの回転によって前記円環凹部において時計回り方向と反時計回り方向とへ移動する請求項３に記載の泡沫水栓。
【請求項５】
前記連結アダプターに形成された円環フランジと前記下部螺着パイプに螺着された前記プラグスリーブの上端との間には、前記第１扁平面域によって作られた第２空間につながる第３空間が形成される請求項３に記載の泡沫水栓。
【請求項６】
前記第３空間が、前記円環フランジの周り方向の全周に形成され、前記気泡を作る空気が、前記第３空間から前記第２空間に流入する請求項５に記載の泡沫水栓。
【請求項７】
前記プラグスリーブが、その上端と前記支持フランジとの間に形成されて前記連結アダプターの下方螺着筒部を螺着する上方螺着部を有し、前記プラグスリーブの径方向の厚み寸法が小さい肉薄部が、前記プラグスリーブの上端を含むその近傍であって該プラグスリーブの周り方向の全周に形成され、前記第２空間が、前記連結アダプターの第１扁平面域と前記プラグスリーブの肉薄部との間に画成されている請求項６に記載の泡沫水栓。
【請求項８】
前記泡沫水栓が、前記アスピレーターの空気導入孔に挿脱可能に挿入された逆止弁を有し、前記アスピレーターが、前記中間筒部の外周面であって前記空気導入孔を含むその周囲に形成された第２扁平面域を有する請求項３ないし請求項７いずれかに記載の泡沫水栓。
【発明の詳細な説明】
【技術分野】
【０００１】
本発明は、水道管から流入した水道水に気泡を混入する泡沫水栓に関する。
【背景技術】
【０００２】
単水栓や混合栓、シャワーヘッドに着脱可能に取り付けられる各種の泡沫水栓が利用されている。泡沫水栓は、水道水に多数の気泡を混入させ、気泡入りの水道水を作ることで、水道水の水跳ねを防止し、肌に当たる水流の感触を良好にすることができるとともに、水流の流量を少なくして節水を図ることができる。そのような泡沫水栓が特開２００５−２０５３２６号公報（特許文献１）や特開２００８−２３７６０１号公報（特許文献２）に開示されている。
【先行技術文献】
【特許文献】
【０００３】
【特許文献１】特開２００５−２０５３２６号公報
【特許文献２】特開２００８−２３７６０１号公報
【発明の概要】
【発明が解決しようとする課題】
【０００４】
泡沫水栓は、アスピレーターの空気導入孔から空気を取り入れ、断面積が次第に縮小するアスピレーターの第１流路において水道水の水圧を増加させつつ、第１流路の出口において水道水を噴射させ、第１流路につながるアスピレーターの第２流路において水道水に空気を混入し、多数の気泡を含む水道水を作る。泡沫水栓は、それを単水栓や混合栓、シャワーヘッドに取り付ける連結アダプターを備え、アスピレーターが連結アダプターの内部に収容されるが、アスピレーターが連結アダプターの内部において時計回り方向または反時計回り方向へ回転し、アスピレーターの空気導入孔が連結アダプターの空気流入孔からずれると、空気が空気流入孔から空気導入孔に流入せず、水道水に気泡を混入することができない。
【０００５】
本発明の目的は、アスピレーターが連結アダプターの内部において時計回り方向や反時計回り方向へ回転し、アスピレーターの空気導入孔が連結アダプターの空気流入孔からずれたとしても、連結アダプターの空気流入孔から流入した空気をアスピレーターの空気導入孔に流入させることができ、水道水に気泡を混入させることができる泡沫水栓を提供することにある。
【課題を解決するための手段】
【０００６】
前記課題を解決するための本発明の前提は、水道管に着脱可能に連結されて水道管から流入した水道水に気泡を混入する泡沫水栓である。
【０００７】
前記前提における本発明の特徴は、泡沫水栓が、水道管に着脱可能に連結される連結アダプターと、連結アダプターに挿脱可能に挿入されるアスピレーターと、連結アダプターに着脱可能に連結されて連結アダプターに挿入されたアスピレーターを支持するプラグスリーブとから形成され、連結アダプターが、アスピレーターを挿入する挿入スペースと、連結アダプターの内周面に形成されて連結アダプターの径方向外方へ向かって凹み、連結アダプターの内周面の全周に延びていて連結アダプターの内周面と挿入スペースに挿入されたアスピレーターの外周面との間に第１空間を作る円環凹部と、連結アダプターの外周面から内周面に向かって径方向へ延びていて円環凹部につながる空気流入孔と、連結アダプターの外周面であって空気流入孔を含むその周囲に形成され、連結アダプターの外周面と連結アダプターに連結されたプラグスリーブの内周面との間に第２空間を作る第１扁平面域とを有し、アスピレーターが、その上方から下方に向かうにつれて断面積が次第に縮小する第１流路と、第１流路につながって断面積が一定の上下方向へ延びる第２流路と、アスピレーターの径方向へ延びていてアスピレーターの外周面から第２流路につながり、アスピレーターを連結アダプターの挿入スペースに挿入したときに第１空間に位置する空気導入孔とを有し、プラグスリーブが、その内周面から径方向内方へ延びていて挿入スペースに挿入されたアスピレーターを支持する支持フランジを有することにある。
【０００８】
本発明の一例としては、円環凹部によって作られた第１空間が、連結アダプターの周り方向の全周に形成され、気泡を作る空気が、第２空間から空気流入孔に流入しつつ空気流入孔から第１空間に流入するとともに第１空間から空気導入孔に流入する。
【０００９】
本発明の他の一例としては、アスピレーターが、第１流路が形成された上筒部と、第２流路と空気導入孔とが形成されて径方向の長さ寸法が上筒部のそれよりも大きい中間筒部と、第２流路が形成されて径方向の長さ寸法が中間筒部それよりも小さい下筒部とを有し、連結アダプターが、水道管の接続部に着脱可能に螺着される上方螺着筒部と、上方螺着筒部の直下に形成されて連結アダプターの径方向外方へ張り出す円環フランジと、円環フランジの直下に形成されてプラグスリーブが着脱可能に螺着される下方螺着筒部と、上方螺着筒部の内周面に囲繞されて水道管から流出した水道水が流入する流入スペースとを有し、連結アダプターの挿入スペースが、上方螺着筒部の内周面に囲繞されて流入スペースの直下に位置し、アスピレーターの上筒部を挿脱可能に挿入する第１挿入スペースと、下方螺着筒部の内周面に囲繞されて第１挿入スペースの直下に位置し、アスピレーターの中間筒部を挿脱可能に挿入する第２挿入スペースとから形成され、泡沫水栓では、連結アダプターの空気流入孔と第１扁平面域とが連結アダプターの下方螺着筒部に形成され、連結アダプターの円環凹部が連結アダプターの下方螺着筒部の内周面に形成され、プラグスリーブを連結アダプターの下方螺着筒部に螺着したときにプラグスリーブの支持フランジがアスピレーターの中間筒部を支持する。
【００１０】
本発明の他の一例としては、アスピレーターが、その各筒部を軸として連結アダプターの挿入スペースに時計回り方向と反時計回り方向とへ回転可能に挿入され、アスピレーターの空気導入孔が、連結アダプターの挿入スペースにおけるアスピレーターの回転によって円環凹部において時計回り方向と反時計回り方向とへ移動する。
【００１１】
本発明の他の一例として、連結アダプターに形成された円環フランジと下部螺着パイプに螺着されたプラグスリーブの上端との間には、第１扁平面域によって作られた第２空間につながる第３空間が形成される。
【００１２】
本発明の他の一例としては、第３空間が、円環フランジの周り方向の全周に形成され、気泡を作る空気が、第３空間から第２空間に流入する。
【００１３】
本発明の他の一例としては、プラグスリーブが、その上端と支持フランジとの間に形成されて連結アダプターの下方螺着筒部を螺着する上方螺着部を有し、プラグスリーブの径方向の厚み寸法が小さい肉薄部が、プラグスリーブの上端を含むその近傍であってプラグスリーブの周り方向の全周に形成され、第２空間が、連結アダプターの第１扁平面域とプラグスリーブの肉薄部との間に画成されている。
【００１４】
本発明の他の一例としては、泡沫水栓が、アスピレーターの空気導入孔に挿脱可能に挿入された逆止弁を有し、アスピレーターが、中間筒部の外周面であって空気導入孔を含むその周囲に形成された第２扁平面域を有する。
【発明の効果】
【００１５】
本発明に係る泡沫水栓によれば、泡沫水栓が連結アダプターと連結アダプターに挿入されるアスピレーターと備え、連結アダプターがその内周面に形成されて内周面の全周に延びる円環凹部と円環凹部につながる空気流入孔とその外周面であって空気流入孔を含むその周囲に形成された第１扁平面域とを有し、アスピレーターが連結アダプターの円環凹部によって作られた第１空間に位置する空気導入孔を有し、アスピレーターの空気導入孔が第１空間に位置するから、連結アダプターに挿入されたアスピレーターが連結アダプターの内部において時計回り方向や反時計回り方向へ回転し、アスピレーターの空気導入孔が連結アダプターの空気流入孔からずれたとしても、空気を連結アダプターの空気流入孔から第１空間に流入させつつ第１空間から空気導入孔に流入させることができ、連結アダプターの空気流入孔から流入した空気をアスピレーターの空気導入孔に流入させることができる。泡沫水栓は、アスピレーターの空気導入孔が連結アダプターのどの位置にあったとしても、水道水に気泡を確実に混入させることができ、多数の気泡が混入された水道水を作ることができる。泡沫水栓は、アスピレーターの空気導入孔から空気を取り入れ、断面積が次第に縮小するアスピレーターの第１流路において水道水の水圧を増加させつつ、第１流路の出口において水道水を噴射させ、第１流路につながるアスピレーターの第２流路において水道水に空気を混入し、多数の気泡が混入した水道水を作ることができるから、水道水の水跳ねを防止し、肌に当たる水流の感触を良好にすることができるとともに、水流の流量を少なくして節水をすることができる。
【００１６】
円環凹部によって作られた第１空間が連結アダプターの周り方向の全周に形成され、空気が第１扁平面域によって作られた第２空間から空気流入孔に流入しつつ空気流入孔から第１空間に流入するとともに第１空間から空気導入孔に流入する泡沫水栓は、連結アダプターに挿入されたアスピレーターが連結アダプターの内部において時計回り方向や反時計回り方向へ回転し、アスピレーターの空気導入孔が連結アダプターの空気流入孔からずれたとしても、空気が第２空間から連結アダプターの空気流入孔に流入しつつ空気流入孔から第１空間に流入するとともに第１空間からアスピレーターの空気導入孔に流入するから、連結アダプターの周り方向の全周に形成された第１空間を利用して空気をアスピレーターの空気導入孔に流入させることができ、アスピレーターの空気導入孔が連結アダプターのどの位置にあったとしても、水道水に気泡を確実に混入させることができ、多数の気泡が混入された水道水を作ることができる。
【００１７】
アスピレーターが上筒部と径方向の長さ寸法が上筒部のそれよりも大きい中間筒部と径方向の長さ寸法が中間筒部それよりも小さい下筒部とを有し、連結アダプターが水道管の接続部に着脱可能に螺着される上方螺着筒部と上方螺着筒部の直下に形成されて連結アダプターの径方向外方へ張り出す円環フランジと円環フランジの直下に形成されてプラグスリーブが着脱可能に螺着される下方螺着筒部と上方螺着筒部の内周面に囲繞されて水道管から流入した水道水が流入する流入スペースとを有し、連結アダプターの挿入スペースがアスピレーターの上筒部を挿脱可能に挿入する第１挿入スペースとアスピレーターの中間筒部を挿脱可能に挿入する第２挿入スペースとから形成され、連結アダプターの空気流入孔と第１扁平面域とが連結アダプターの下方螺着筒部に形成され、連結アダプターの円環凹部が連結アダプターの下方螺着筒部の内周面に形成され、プラグスリーブを連結アダプターの下方螺着筒部に螺着したときにプラグスリーブの支持フランジがアスピレーターの中間筒部を支持する泡沫水栓は、連結アダプターの第１および第２挿入スペースに挿入されたアスピレーターの上筒部および中間筒部が連結アダプターの内部において時計回り方向や反時計回り方向へ回転し、アスピレーターの空気導入孔が連結アダプターの空気流入孔からずれたとしても、空気が第１扁平面域によって作られた第２空間から連結アダプターの空気流入孔に流入しつつ空気流入孔から円環凹部によって作られた第１空間に流入するとともに第１空間からアスピレーターの空気導入孔に流入するから、連結アダプターの周り方向の全周に形成された第１空間を利用して空気をアスピレーターの空気導入孔に流入させることができ、アスピレーターの空気導入孔が連結アダプターのどの位置にあったとしても、水道水に気泡を確実に混入させることができ、多数の気泡が混入された水道水を作ることができる。
【００１８】
アスピレーターがその各筒部を軸として連結アダプターの挿入スペースに時計回り方向と反時計回り方向とへ回転可能に挿入され、アスピレーターの空気導入孔が連結アダプターの挿入スペースにおけるアスピレーターの回転によって円環凹部において時計回り方向と反時計回り方向とへ移動する泡沫水栓は、連結アダプターの第１および第２挿入スペースにアスピレーターの上筒部や中間筒部を挿入する場合、連結アダプターに対するアスピレーターの位置決めを行う必要はなく、アスピレーターを連結アダプターの挿入スペースに回転可能に挿入することができ、手間を要することなく、泡沫水栓を容易に組み立てることができる。泡沫水栓は、アスピレーターの空気導入孔が円環凹部において時計回り方向と反時計回り方向とへ移動したとしても、連結アダプターの周り方向の全周に形成された第１空間を利用して空気をアスピレーターの空気導入孔に流入させることができ、アスピレーターの空気導入孔が連結アダプターのどの位置にあったとしても、水道水に気泡を確実に混入させることができ、多数の気泡が混入された水道水を作ることができる。
【００１９】
第１扁平面域によって作られた第２空間につながる第３空間が連結アダプターに形成された円環フランジと下部螺着パイプに螺着されたプラグスリーブの上端との間に形成される泡沫水栓は、第２空間につながる第３空間が連結アダプターに形成された円環フランジと下部螺着パイプに螺着されたプラグスリーブの上端との間に形成されることで、プラグスリーブによって連結アダプターの第２空間が塞がれることはなく、空気を第３空間から第２空間に流入させつつ第２空間から第１空間に流入させることができ、連結アダプターの周り方向の全周に形成された第１空間を利用して空気をアスピレーターの空気導入孔に流入させることができる。
【００２０】
連結アダプターに形成された円環フランジと下部螺着パイプに螺着されたプラグスリーブの上端との間の第３空間が円環フランジの周り方向の全周に形成され、気泡を作る空気が第３空間から第２空間に流入する泡沫水栓は、第３空間が円環フランジの周り方向の全周に形成されることで、連結アダプターにプラグスリーブを連結したときに連結アダプターの第２空間がプラグスリーブの周り方向のどの位置にあったとしても第２空間が第３空間につながるから、空気を第３空間から第２空間に流入させつつ第２空間から第１空間に流入させることができ、連結アダプターの周り方向の全周に形成された第１空間を利用して空気をアスピレーターの空気導入孔に流入させることができる。
【００２１】
プラグスリーブがその上端と支持フランジとの間に形成されて連結アダプターの下方螺着筒部を螺着する上方螺着部を有し、プラグスリーブの径方向の厚み寸法が小さい肉薄部がプラグスリーブの上端を含むその近傍であってプラグスリーブの周り方向の全周に形成され、第２空間が連結アダプターの第１扁平面域とプラグスリーブの肉薄部との間に画成されている泡沫水栓は、肉薄部がプラグスリーブの上端を含むその近傍であってプラグスリーブの周り方向の全周に形成されることで、肉薄部を介して第３空間と第２空間とが確実につながり、連結アダプターにプラグスリーブを連結したときに連結アダプターの第２空間がプラグスリーブの周り方向のどの位置にあったとしても第２空間が第３空間につながるから、空気を第３空間から第２空間に流入させつつ第２空間から第１空間に流入させることができ、連結アダプターの周り方向の全周に形成された第１空間を利用して空気をアスピレーターの空気導入孔に確実に流入させることができる。
【００２２】
アスピレーターの空気導入孔に挿脱可能に挿入された逆止弁を有し、アスピレーターが中間筒部の外周面であって空気導入孔を含むその周囲に形成された第２扁平面域を有する泡沫水栓は、アスピレーターの空気導入孔に逆止弁が設置されることで、アスピレーターの空気導入孔に水道水が逆流することはなく、アスピレーターを利用して水道水に気泡を確実に混入させることができ、多数の気泡が混入された水道水を作ることができる。泡沫水栓は、第２扁平面域がアスピレーターの中間筒部の外周面であって空気導入孔を含むその周囲に形成されているから、空気導入孔に逆止弁を容易に挿入することができ、空気導入孔から逆止弁を容易に取り出すことができ、劣化した逆止弁を容易に交換することができる。
【図面の簡単な説明】
【００２３】
【図１】一例として示す泡沫水栓の正面図。
【図２】泡沫水栓の斜視図。
【図３】泡沫水栓の上面図。
【図４】泡沫水栓の底面図。
【図５】泡沫水栓の分解正面図。
【図６】泡沫水栓の分解斜視図。
【図７】図１のＡ−Ａ線矢視断面図。
【図８】図５のＢ−Ｂ線矢視断面図。
【図９】図８の斜視図。
【図１０】アスピレーターを連結アダプターに挿入したときの斜視図。
【図１１】図１のＣ−Ｃ線矢視断面図。
【図１２】図１１の部分拡大図。
【図１３】他の一例として示す図１１と同様の断面図。
【図１４】図１３の部分拡大図。
【発明を実施するための形態】
【００２４】
一例として示す泡沫水栓１０の正面図である図１等の添付の図面を参照し、本発明に係る泡沫水栓の詳細を説明すると、以下のとおりである。なお、図２は、泡沫水栓１０の斜視図であり、図３は、泡沫水栓１０の上面図である。図４は、泡沫水栓１０の底面図であり、図５は、泡沫水栓１０の分解正面図である。図６は、泡沫水栓１０の分解斜視図であり、図７は、図１のＡ−Ａ線矢視断面図である。図８は、図５のＢ−Ｂ線矢視断面図であり、図９は、図８の斜視図である。図１０は、アスピレーター１２を連結アダプター１１に挿入したときの斜視図である。図１０では、パッキンリング２３（シール）の図示を省略している。図２では、上下方向を矢印Ｘ、径方向を矢印Ｙで示し、周り方向を矢印Ｚで示す。
【００２５】
泡沫水栓１０は、水道管に着脱可能に連結されるとともに、単水栓や混合栓、シャワーヘッド等の各種の水栓に着脱可能に取り付けられる。泡沫水栓１０は、水道管から流入した水道水に気泡を混入し、多数の気泡を含む水道水を単水栓や混合栓、シャワーヘッド等の水栓から流出させる。泡沫水栓１０は、多数の気泡を含む水道水を作ることで、水道水の水跳ねを防止することができ、肌に当たる水流の感触を良好にすることができるとともに、水流の流量を少なくして節水を図ることができる。
【００２６】
泡沫水栓１０は、水道管に着脱可能に連結される連結アダプター１１と、連結アダプター１１に挿脱可能に挿入されるアスピレーター１２と、連結アダプター１１に着脱可能に連結されるプラグスリーブ１３とから形成されている。泡沫水栓１０では、図５，６に示すように、上下方向上方から下方に向かって連結アダプター１１、アスピレーター１２、プラグスリーブ１３の順で並んでいる。
【００２７】
連結アダプター１１は、ステンレス鋼や合金鋼等の金属から作られ、上方螺着筒部１４と円環フランジ１５と下方螺着筒部１６とを有する。連結アダプター１１では、図８，９に示すように、上方螺着筒部１４が連結アダプター１１の上下方向上方に位置し、円環フランジ１５が連結アダプター１１の中間に位置しているとともに、下方螺着筒部１６が連結アダプター１１の下方に位置している。上方螺着筒部１４や円環フランジ１５、下方螺着筒部１６は、一体に成形されている。上方螺着筒部１４は、円筒状に成形されている。上方螺着筒部１４の外側には、ネジ１７（雄ネジ）が作られている。連結アダプター１１では、上方螺着筒部１４のネジ１７（雄ネジ）が水道管の接続部（雌ネジ）に着脱可能に螺着されることで、泡沫水栓１０が水道管に連結される。
【００２８】
円環フランジ１５は、リング状に成形され、上方螺着筒部１４の下方（直下）につながり、上方螺着筒部１４と下方螺着筒部１６との間に形成されている。円環フランジ１５は、連結アダプター１１の外周面から径方向外方へ張り出し、連結アダプター１１の周り方向へ延びている。円環フランジ１５は、その直径（径方向の長さ寸法）が上方螺着筒部１４や下方螺着筒部１６のそれよりも大きい。下方螺着筒部１６は、円筒状に成形され、円環フランジ１５の下方（直下）につながっている。下方螺着筒部１６の外側には、ネジ１８（雄ネジ）が作られている。下方螺着筒部１６には、プラグスリーブ１３が着脱可能に螺着される。
【００２９】
上方螺着筒部１４の内側には、上方螺着筒部１４の内周面に囲繞された流入スペース１９が作られている。流入スペース１９には、水道管から流出した水道水が流入する。連結アダプター１１の内側には、アスピレーター１２を挿入する円筒状の挿入スペース２０が作られている。挿入スペース２０は、上方螺着筒部１４の内周面に囲繞された第１挿入スペース２１と、下方螺着筒部１６の内周面に囲繞された第２挿入スペース２２とから形成されている。上方螺着筒部１４には、パッキンリング２３（シール）が嵌め込まれる。パッキンリング２３は、上方螺着筒部１４と円環フランジ１５とに密着する。
【００３０】
第１挿入スペース２１は、円筒状に成形され、流入スペース１９の直下に位置している。第２挿入スペース２２は、円筒状に成形され、第１挿入スペース２１の直下に位置している。第２挿入スペース２２は、その直径（径方向の長さ寸法）が第１挿入スペース２１のそれよりも大きい。第１挿入スペース２１には、アスピレーター１２の後記する上筒部２９が挿脱可能に挿入される。第２挿入スペース２２には、アスピレーター１２の後記する中間筒部３０が挿脱可能に挿入される。
【００３１】
下方螺着筒部１６の内側には、リング状の円環凹部２４が作られている。円環凹部２４は、連結アダプター１１の下方螺着筒部１６の内周面に形成され、連結アダプター１１の径方向外方へ向かって凹んでいる。円環凹部２４は、連結アダプター１１の周り方向であって連結アダプター１１の内周面の全周に延びている。円環凹部２４は、連結アダプター１１の内周面と挿入スペース２０に挿入されたアスピレーター１２の中間筒部３０の外周面との間にリング状（円環状）の第１空間２５を画成する（作る）。第１空間２５は、連結アダプター１１の内周面の全周に形成される。
【００３２】
連結アダプター１１の下方螺着筒部１６には、下方螺着筒部１６を貫通する空気流入孔２６が穿孔（形成）されている。空気流入孔２６は、連結アダプター１１の外周面から内周面に向かって径方向へ延びている。空気流入孔２６は、円環凹部２４につながり、第１空間２５に空気（外気）を流入させる。連結アダプター１１の下方螺着筒部１６の外周面には、第１扁平面域２７が形成されている。第１扁平面域２７は、上下方向へ延びる扁平な面であり、下方螺着筒部１６に作られたネジ１８（雄ネジ）を削る（面取り）ことから作られている。
【００３３】
第１扁平面域２７は、空気流入孔２６を含むその周囲に形成され、円環フランジ１５の直下と下方螺着筒部１６の下端との間に作られている。第１扁平面域２７は、連結アダプター１１の下方螺着筒部１６の外周面と連結アダプター１１に連結されたプラグスリーブ１３の内周面との間に第２空間２８（隙間）を画成する（作る）。第２空間２８は、連結アダプター１１の下方螺着筒部１６の空気流入孔２６に空気（外気）を流入させる。
【００３４】
アスピレーター１２は、ステンレス鋼や合金鋼等の金属から作られ、上筒部２９と中間筒部３０と下筒部３１とを有し、連結アダプター１１の挿入スペース２０に挿脱可能に挿入される。上筒部２９や中間筒部３０、下筒部３１は、一体に成形されている。上筒部２９は、円筒状に成形され、連結アダプター１１の第１挿入スペース２１に挿入される。上筒部２８は、図７に示すように、アスピレーター１２が連結アダプター１１の挿入スペース２０に挿入されてときに、連結アダプター１１の上方螺着筒部１４の流入スペース１９の直下に位置する。上筒部２９には、パッキンリング３２（シール）が嵌め込まれる。パッキンリング３２は、連結アダプター１１の上方螺着筒部１４とアスピレーター１２の上筒部２９とに密着する。
【００３５】
中間筒部３０は、円筒状に成形され、上筒部２９の上下方向下方につながっている。中間筒部３０は、連結アダプター１１の第２挿入スペース２２に挿入される。中間筒部３０は、その直径（径方向の長さ寸法）が上筒部２９のそれよりも大きい。中間筒部３０には、パッキンリング３３（シール）が嵌め込まれる。パッキンリング３３は、中間筒部３０とプラグスリーブ１３の後記する支持フランジとに密着する。
【００３６】
下筒部３１は、円筒状に成形され、中間筒部３０の上下方向下方につながっている。下筒部３１は、その直径（径方向の長さ寸法）が中間筒部３０のそれよりも小さい。下筒部３１は、アスピレーター１２が連結アダプター１１の挿入スペース２０に挿入されてときに、連結アダプター１１の下方螺着筒部１７から下方へ露出する。連結アダプター１１の挿入スペース２０に挿入されたアスピレーター１２は、上筒部２９や中間筒部３０、下筒部３１を軸として連結アダプター１１の挿入スペース２０において時計回り方向と反時計回り方向とへ回転可能である。
【００３７】
アスピレーター１２の上筒部２９には、上下方向へ直状に延びる第１流路３３が作られている。第１流路３３は、アスピレーター１２の上方から下方に向かうにつれて断面積が次第に縮小する。第１流路３３は、逆円錐状に成形された水道水の流路である。第１流路３３は、アスピレーター１２が連結アダプター１１の挿入スペース２０に挿入されてときに、連結アダプター１１の上方螺着筒部１４の流入スペース１９につながる。
【００３８】
アスピレーター１２の中間筒部３０と下筒部３１とには、上下方向へ直状に延びる第２流路３５が作られている。第２流路３５は、断面積が一定の円筒状に成形された水道水の流路であり、第１流路３４につながっている。アスピレーター１２の中間筒部３０には、アスピレーター１２の径方向へ延びる空気導入孔３６（空気導入路）が穿孔（形成）されている。空気導入孔３６は、アスピレーター１２の中間筒部３０を貫通し、アスピレーター１２の外周面から第２流路３５につながっている。
【００３９】
空気導入孔３６は、断面積が一定の円筒状に成形された空気（外気）の流路である。空気導入孔３６は、アスピレーター１２を連結アダプター１１の挿入スペース２０に挿入したときに、連結アダプター１１の下方螺着筒部１６に形成された第１空間２５に位置する。アスピレーター１２の空気導入孔３６は、連結アダプター１１の挿入スペース２０におけるアスピレーター１２の回転によって円環凹部２４（第１空間２５）において時計回り方向と反時計回り方向とへ移動する。
【００４０】
アスピレーター１２の中間筒部３０の外周面には、第２扁平面域３７が形成されている。第２扁平面域３７は、上下方向へ延びる扁平な面であり、アスピレーター１２の中間筒部３０の外周面を削る（面取り）ことから作られている。第２扁平面域３７は、空気導入孔３６を含むその周囲に形成され、アスピレーター１２の中間筒部３０の上端と下端との間に作られている。アスピレーター１２の空気導入孔３６には、アスピレーター１２の径方向へ延びる逆止弁３８（サクションバルブ）が挿脱可能に挿入されている。逆止弁３８は、アスピレーター１２の第２流路３５から空気導入孔３６への水道水の逆流を防止する。
【００４１】
プラグスリーブ１３は、ステンレス鋼や合金鋼等の金属から作られ、連結アダプター１１に挿入されたアスピレーター１２を支持する。プラグスリーブ１３は、上方螺着部３９と支持フランジ４０と下方螺着部４１とを有する。プラグスリーブ１３では、上方螺着部３９がプラグスリーブ１３の上下方向上方に位置し、支持フランジ４０がプラグスリーブ１３の中間に位置しているとともに、下方螺着部４１がプラグスリーブ１３の下方に位置している。上方螺着部３９や支持フランジ４０、下方螺着部４１は、一体に成形されている。
【００４２】
上方螺着部３９は、プラグスリーブ１３の上端４５と支持フランジ４０との間に形成され、円筒状に成形されている。上方螺着部３９の内側には、ネジ４２（雌ネジ）が作られている。上方螺着部３９には、連結アダプター１１の下方螺着筒部１６のネジ１８（雄ネジ）が螺着される。支持フランジ４０は、リング状に成形され、上方螺着部３９の直下であって上方螺着部３９と下方螺着部４１との間に形成されている。支持フランジ４０は、プラグスリーブ１３の内周面から径方向内方へ延出し、プラグスリーブ１３の周り方向へ延びている。支持フランジ４０は、第２挿入スペース２２に挿入されたアスピレーター１２の中間筒部３０を支持する。
【００４３】
プラグスリーブ１３の上端４５を含むその近傍には、プラグスリーブ１３の径方向の厚み寸法が小さい肉薄部４６が形成されている。肉薄部４６には、ネジ４２（雌ネジ）が形成されていない。肉薄部４６は、プラグスリーブ１３の上端４５を含むその近傍以外の箇所の径方向の厚み寸法よりも小さく、プラグスリーブ１３の周り方向の全周に形成されている。泡沫水栓１０では、第２空間２８が連結アダプター１１の第１扁平面域２７とプラグスリーブ１３の肉薄部４６との間に画成されている。
【００４４】
下方螺着部４１は、円筒状に成形され、支持フランジ４０の直下につながって支持フランジ４０から下方へ延びている。下方螺着部４１の内側には、ネジ４３（雌ネジ）が作られている。下方螺着部４１には、単水栓や混合栓、シャワーヘッド等の水栓が着脱可能に螺着される。プラグスリーブ１３では、下方螺着部４１のネジ４３（雌ネジ）が単水栓や混合栓、シャワーヘッド等の水栓の接続部（雄ネジ）に着脱可能に螺着されることで、泡沫水栓１０が単水栓や混合栓、シャワーヘッド等の水栓に連結される。
【００４５】
図５の分解正面図から泡沫水栓１０を組み立てるには、図６の分解斜視図に示すように、アスピレーター１２の上筒部２９にパッキンリング３２（シール）を嵌め込み、アスピレーター１２の上筒部２９を連結アダプター１１の第１挿入スペース２１に挿入し、アスピレーター１２の中間筒部３０を連結アダプター１１の第２挿入スペース２２に挿入する。アスピレーター１２を連結アダプター１１の挿入スペース２０に挿入すると、連結アダプター１１の内周面に形成された円環凹部２４と挿入スペース２０に挿入されたアスピレーター１２の中間筒部３０の外周面との間に第１空間２５が画成される。アスピレーター１２の空気導入孔３６は、第１空間２５に位置し、第１空間２５に連通する（つながる）。
【００４６】
パッキンリング３２が連結アダプター１１の上方螺着筒部１４とアスピレーター１２の上筒部２９とに密着し、連結アダプター１１とアスピレーター１２との間の間隙がパッキンリング３２によって塞がれる。なお、アスピレーター１２を連結アダプター１１の挿入スペース２０に挿入する際に、アスピレーター１２の空気導入孔３６と連結アダプター１１の空気流入孔２６とを一致させる必要はない。
【００４７】
次に、アスピレーター１２の下筒部３１にパッキンリング３３（シール）を嵌め込み、連結アダプター１１の下方螺着筒部１６に形成されたネジ１８（雄ネジ）をプラグスリーブ１１の上方螺着部３９に形成されたネジ４２（雌ネジ）に螺着し、連結アダプター１１とプラグスリーブ１３とを連結する。連結アダプター１１とプラグスリーブ１３とを連結すると、プラグスリーブ１３の支持フランジ４０がアスピレーター１２の中間筒部３０を支持し、アスピレーター１２が連結アダプター１１の上方螺着筒部１４とプラグスリーブ１３の支持フランジ４０とに挟まれた状態で、アスピレーター１２が連結アダプター１１の挿入スペース２０に固定される。
【００４８】
パッキンリング３３がアスピレーター１２の中間筒部３０とプラグスリーブ１３の支持フランジ４０とに密着し、アスピレーター１２とプラグスリーブ１３との間の間隙がパッキンリング３３によって塞がれる。また、プラグスリーブ１３に螺着された連結アダプター１１のプラグスリーブ１３から下方への移動がパッキンリング３３によって阻止される。連結アダプター１１とプラグスリーブ１３とを連結すると、連結アダプター１１に形成された円環フランジ２４と下方螺着筒部１６に螺着されたプラグスリーブ１３の上方螺着部３９の上端４５との間に第３空間４４（隙間）が形成される。第３空間４４は、円環フランジ１５の周り方向の全周に形成され、第１扁平面域２７によって作られた第２空間２８に連通する（つながる）。
【００４９】
図１１は、図１のＣ−Ｃ線矢視断面図であり、図１２は、図１１の部分拡大図である。図１３は、他の一例として示す図１１と同様の断面図であり、図１４は、図１３の部分拡大図である。泡沫水栓１０では、図１１，１２に示すように、連結アダプター１１に形成された円環フランジ２４と連結アダプター１１の下方螺着筒部１６に螺着されたプラグスリーブ１３の上端４５との間に形成された第３空間４４が第１扁平面域２７と肉薄部４６とによって作られた第２空間２８に連通し（つながり）、第１扁平面域２７によって作られた第２空間２８が連結アダプター１１の空気流入孔２６に連通している（つながっている）とともに、連結アダプター１１の空気流入孔２６が第１空間２５に連通し（つながり）、アスピレーター１２の空気導入孔３６が第１空間２５に連通している（つながっている）。
【００５０】
水道の蛇口を開け、水道水が水道管から泡沫水栓１０の連結アダプター１１の流入スペース１９に流入した後、水道水がアスピレーター１２の第１流路３４に流入する。断面積が次第に縮小するアスピレーター１２の第１流路３４において水道水の水圧が次第に増加し、第１流路３４の出口において水道水が噴射しつつアスピレーター１２の第２流路３５に流入する。アスピレーター１２の空気導入孔３６からアスピレーター１２の第２流路３５に流入した空気（外気）が第２流路３５において水道水に混入し、多数の気泡を含む水道水が作られる。多数の気泡を含む水道水は、単水栓や混合栓、シャワーヘッド等の水栓から流出する。
【００５１】
水道水に多数の気泡を作る空気は、図７に矢印Ｌ１で示すように、連結アダプター１１の円環フランジ２４とプラグスリーブ１３の上端４５との間に形成された第３空間４４から第１扁平面域２７によって作られた連結アダプター１１の下方螺着筒部１６の外周面とプラグスリーブ１３の内周面との間の第２空間２８に流入する。空気は、図１１に矢印Ｌ２で示すように、第２空間２８から連結アダプター１１の空気流入孔２６に流入し、空気流入孔２６から第１空間２５に流入するとともに、第１空間２５からアスピレーター１２の空気導入孔３６に流入し、アスピレーター１２の第２流路３５に流入する。
【００５２】
泡沫水栓１０では、アスピレーター１２がその各筒部２９〜３１を軸として連結アダプター１１の挿入スペース２０において時計回り方向と反時計回り方向とへ回転し、アスピレーター１２の空気導入孔３６が連結アダプター１１の挿入スペース２０におけるアスピレーター１２の回転によって円環凹部２４（第１空間２５）において時計回り方向と反時計回り方向とへ移動すると、図１３，１４に示すように、アスピレーター１２の空気導入孔３６が連結アダプター１１の空気流入孔２６の位置から外れ、空気導入孔３６と空気流入孔２６とが一致せず、空気導入孔３６と空気流入孔２６とが直接に連通しない。
【００５３】
泡沫水栓１０では、空気導入孔３６と空気流入孔２６とが一致せず、空気導入孔３６と空気流入孔２６とが直接的に連通しない場合でも、空気は、図１３に矢印Ｌ３で示すように、第２空間２８から連結アダプター１１の空気流入孔２６に流入し、空気流入孔２６から第１空間２５に流入するとともに、第１空間２５を回り方向へ流動して第１空間２５からアスピレーター１２の空気導入孔３６に流入しつつ、アスピレーター１２の第２流路３５に流入し、第２流路３５を流動する水道水に混入される。空気導入孔３６と空気流入孔２６とが一致しない場合でも、水道水に多数の気泡が作られる。
【００５４】
泡沫水栓１０は、それが連結アダプター１１と連結アダプター１１に挿入されるアスピレーター１２と備え、連結アダプター１１がその内周面に形成されて内周面の全周に延びる円環凹部２４と円環凹部２４につながる空気流入孔２６とその外周面であって空気流入孔２６を含むその周囲に形成された第１扁平面域２７とを有し、アスピレーター１２が連結アダプター１１の円環凹部２４によって作られた第１空間２５に位置する空気導入孔３６を有し、アスピレーター１２の空気導入孔３６が常に第１空間３６に位置するから、連結アダプター１１の第１および第２挿入スペース２１，２２に挿入されたアスピレーター１２の上筒部２９および中間筒部３０が連結アダプター１１の内部において時計回り方向や反時計回り方向へ回転し、アスピレーター１２の空気導入孔３６が連結アダプター１１の空気流入孔２６からずれたとしても、空気が第１扁平面域２７によって作られた第２空間２８から連結アダプター１１の空気流入孔２６に流入しつつ空気流入孔２６から円環凹部２４によって作られた第１空間２５に流入するとともに第１空間２５からアスピレーター１２の空気導入孔３６に流入する。泡沫水栓１０は、アスピレーター１２の空気導入孔３６と連結アダプター１１の空気流入孔２６とが直接的に連通しなくても（直線的に並ばなくても）、連結アダプター１１の周り方向の全周に形成された第１空間２５を利用して空気をアスピレーター１２の空気導入孔３６に流入させることができ、連結アダプター１１の空気流入孔２６から流入した空気をアスピレーター１２の空気導入孔３６に流入させることができる。
【００５５】
泡沫水栓１０は、アスピレーター１２の空気導入孔３６が連結アダプター１１のどの位置にあったとしても、空気導入孔３６が第１空間２５に連通するから、水道水に気泡を確実に混入させることができ、多数の気泡が混入された気泡を含む水道水を作ることができる。泡沫水栓１０は、アスピレーター１２の空気導入孔３６から空気を取り入れ、断面積が次第に縮小するアスピレーター１２の第１流路３４において水道水の水圧を増加させつつ、第１流路３４の出口において水道水を噴射させ、第１流路３４につながるアスピレーター１２の第２流路３５において水道水に空気を混入し、多数の気泡が混入した水道水を作ることができるから、水道水の水跳ねを防止することができ、肌に当たる水流の感触を良好にすることができるとともに、水流の流量を少なくして節水を図ることができる。
【００５６】
泡沫水栓１０は、第１扁平面域２７によって作られた第２空間２８につながる第３空間４４が連結アダプター１１に形成された円環フランジ１５と連結アダプター１１の下方螺着筒部１６に螺着されたプラグスリーブ１３の上端４５との間に形成されるから、プラグスリーブ１３によって連結アダプター１１の第２空間２８が塞がれることはなく、空気を第３空間４４から第２空間２８に流入させつつ第２空間２８から第１空間２５に流入させることができ、連結アダプター１１の周り方向の全周に形成された第１空間２５を利用して空気をアスピレーター１２の空気導入孔３６に流入させることができる。
【００５７】
泡沫水栓１０は、連結アダプター１１に形成された円環フランジ１５と下方螺着筒部１６に螺着されたプラグスリーブ１３の上端４５との間の第３空間４４が円環フランジ１５の周り方向の全周に形成されるから、連結アダプター１１にプラグスリーブ１３を連結したときに連結アダプター１１の第２空間２８がプラグスリーブ１３の周り方向のどの位置にあったとしても第２空間２８が第３空間４４につながり、円環フランジ１５の周り方向の全周に形成された第３空間４４から空気を第２空間２８に流入させつつ第２空間２８から第１空間２５に流入させることができ、連結アダプター１１の周り方向の全周に形成された第１空間２５を利用して空気をアスピレーター１２の空気導入孔３６に流入させることができる。
【００５８】
泡沫水栓１０は、肉薄部４６がプラグスリーブ１３の上方螺着部３９の上端４５を含むその近傍であってプラグスリーブ１３の周り方向の全周に形成されることで、肉薄部４６を介して第３空間４４と第２空間２８とが確実につながり、連結アダプター１１にプラグスリーブ１３を連結したときに連結アダプター１１の第２空間２８がプラグスリーブ１３の周り方向のどの位置にあったとしても第２空間２８が第３空間４４につながるから、空気を第３空間４４から第２空間２８に流入させつつ第２空間２８から第１空間２５に流入させることができ、連結アダプター１１の周り方向の全周に形成された第１空間２５を利用して空気をアスピレーター１２の空気導入孔３６に確実に流入させることができる。
【００５９】
泡沫水栓１０は、アスピレーター１２の空気導入孔３６に逆止弁３８が設置されることで、アスピレーター１２の第２流路３５から空気導入孔３６に水道水が逆流することはなく、アスピレーター１２を利用して水道水に気泡を確実に混入させることができ、多数の気泡が混入された水道水を作ることができる。泡沫水栓１０は、第２扁平面域３７がアスピレーター１２の中間筒部３０の外周面であって空気導入孔３６を含むその周囲に形成されているから、空気導入孔３６に逆止弁３８を容易に挿入することができ、空気導入孔３６から逆止弁３８を容易に取り出すことができ、劣化した逆止弁３８を容易に交換することができる。
【００６０】
泡沫水栓１０は、連結アダプター１１の第１および第２挿入スペース２１，２２にアスピレーター１２の上筒部２９や中間筒部３０を挿入する場合、連結アダプター１１に対するアスピレーター１２の位置決めを行う必要はなく、アスピレーター１２を連結アダプター１１の挿入スペース２０に回転可能に挿入することができ、手間を要することなく、泡沫水栓１０を容易に組み立てることができる。
【符号の説明】
【００６１】
１０    泡沫水栓
１１    連結アダプター
１２    アスピレーター
１３    プラグスリーブ
１４    上方螺着筒部
１５    円環フランジ
１６    下方螺着筒部
１７    ネジ（雄ネジ）
１８    ネジ（雄ネジ）
１９    流入スペース
２０    挿入スペース
２１    第１挿入スペース
２２    第２挿入スペース
２３    パッキンリング
２４    円環凹部
２５    第１空間
２６    空気流入孔
２７    第１扁平面域
２８    第２空間
２９    上筒部
３０    中間筒部
３１    下筒部
３２    パッキンリング
３３    パッキンリング
３４    第１流路
３５    第２流路
３６    空気導入孔
３７    第２扁平面域
３８    逆止弁
３９    上方螺着部
４０    支持フランジ
４１    下方螺着部
４２    ネジ（雌ネジ）
４３    ネジ（雌ネジ）
４４    第３空間
４５    上端
４６    肉薄部
【図１】
2019044516.tif 000003
【図２】
2019044516.tif 000004
【図３】
2019044516.tif 000005
【図４】
2019044516.tif 000006
【図５】
2019044516.tif 000007
【図６】
2019044516.tif 000008
【図７】
2019044516.tif 000009
【図８】
2019044516.tif 000010
【図９】
2019044516.tif 000011
【図１０】
2019044516.tif 000012
【図１１】
2019044516.tif 000013
【図１２】
2019044516.tif 000014
【図１３】
2019044516.tif 000015
【図１４】
2019044516.tif 000016